(57)【特許請求の範囲】
【請求項１】
外箱と内箱との間に冷気循環通路を画成した前面開放形ケース本体の庫内に、上下段に並ぶ商品陳列棚、およびユーザーが選択した中段の商品陳列棚の下面側に配置してその背後の前記冷気循環通路から取り込んだ冷気を庫内下部の冷却ゾーンに向けて吹き出す着脱式の分岐ダクトを備えた冷気循環式のショーケースにおいて、前記冷気循環通路に連なるケース本体の天井部に、庫内の商品陳列棚から取り外した前記分岐ダクトを格納するダクト収納部を備え、庫内全域を保冷する運転モードでは前記ダクト収納部にセットした分岐ダクトを通じて天井部から庫内に冷気を吹き出すようにし、庫内の天井と冷気循環通路の上部通路との間を仕切る天井板の前部に分岐ダクトをケース前方から差し込むダクト挿入口を開口して、天井板のダクト挿入口に、分岐ダクトを外した状態でダクト挿入口を閉塞するシャッターを備えたことを特徴とするショーケース。
【発明の詳細な説明】
【技術分野】
【０００１】
この発明は、コンビニエンスストアなどの店舗に据付けてホット商品，コールド商品を庫内の商品陳列棚に陳列して加温，保冷するようにしたホット・アンド・コールド型のショーケースに関する。
【背景技術】
【０００２】
昨今では、お茶，缶コーヒーなどの商品を陳列，販売するショーケースとして、庫内上部と下部に並ぶ商品陳列棚に分けて陳列した商品を加温，保冷するようにしたホット・アンド・コールド型のショーケースが普及している。
【０００３】
このホット・アンド・コールド型のショーケースは、冷気循環式の多段形ショーケースの構造をベースとしてその庫内には、上下段に並ぶヒータ付きの商品陳列棚と、庫内中段位置に並ぶ商品陳列棚の下面側に配置して背後の冷気循環通路から取り込んだ冷気を庫内前面の下方域に向けて吹き出す分岐ダクトを装備し、該分岐ダクトを境にして庫内の上部ゾーンに並ぶ商品陳列棚に陳列した商品（ホット商品）をヒータで加温し、下部ゾーンの商品陳列棚に陳列した商品（コールド商品）を、前記分岐ダクトを通じて庫内前面に吹き出した冷気で保冷するようにしている（例えば、特許文献１参照）。
【０００４】
次に、前記の特許文献１に開示されているショーケースの構成を図７に示す。図７（ａ），（ｂ）において、１は前面開放形のケース本体、２はケース本体１の外箱（断熱筐体）、３は天井板３ａ，背面パネル３ｂ，デッキパン３ｃで庫内空間（商品陳列室）を仕切る内箱、４は外箱２の内側に沿って内箱２との間に画成した冷気循環通路、４ａ，４ｂはケース本体１の前面開口部に向けてその上下端部に開口した冷気循環通路４の冷気吹出口（ハニカム），冷気吸込口（リターングリル）、５は冷却器（冷凍機のエバポレータ）、６は冷気送風用の庫内ファン、７は冷凍機のコンデンシングユニット、８は前記背面パネル３ｂの庫内側に立設した棚支柱（不図示）を介して上下段に並べて架設した商品陳列棚、９は商品陳列棚８を棚支柱に支持する左右一対のブラケットの間に架け渡して前記商品陳列棚８の下面側に配備した冷気吹出用の分岐ダクトであり、該分岐ダクト９はその前端に冷気吹出口９ａが下向きに開口し、後端部には商品陳列棚８に対応して内箱３の背面パネル３ｂに開口した導風穴を貫通して背後の冷気循環通路４に突き出した導風ダンパー９ｂを備えている。なお、ホット商品１０を陳列する商品陳列棚８には商品加熱用のヒータを装備している。
【０００５】
上記構成のショーケースの動作は特許文献１にも詳しく述べられており、前記の分岐ダクト９を境にして庫内の上部ゾーンに並ぶ商品陳列棚８に陳列したホット商品１０を加温し、下部ゾーンの商品陳列棚８に陳列したコールド商品１１を保冷する運転モード（ホット・アンド・コールド運転）では、図示のように分岐ダクト９の導風ダンパー９ｂを背後に引出して冷気吹出口４ａに通じる冷気循環通路４を途中で遮断する。これにより、冷却器５と熱交換した冷気が冷気循環通路４の途中から分岐ダクト９を経由してその前端側の冷気吹出口９ａから庫内の下部ゾーン域に吹き出してコールド商品１１を保冷する。一方、上部ゾーンには冷気が循環通風せず、この領域に陳列したホット商品１０は商品陳列棚８に装備したヒータにより加温されることになる。
【０００６】
一方、各段の商品陳列棚８に陳列する商品を全てコールド商品として保冷するコールド運転モード（コールド専用運転）では、分岐ダクト９の導風ダンパー９ｂをダクト内に後退させて冷気循環通路４から引っ込めるか、あるいは分岐ダクト９を庫内から取り外した上で、商品陳列棚８の加熱ヒータを非通電とする。これにより、冷気循環通路４に通風する冷気は分岐ダクト９を経由せずにケース本体１の冷気吹出口４ａから吸込口４ｂに向けて吹き出し、庫内前面に冷気エアカーテンを形成して庫内全段の商品陳列棚８に陳列した全商品が保冷される。
【先行技術文献】
【特許文献】
【０００７】
【特許文献１】特開２００５−１１４１７８号公報
【発明の概要】
【発明が解決しようとする課題】
【０００８】
ところで、従来の多段型ショーケースに装備した前記分岐ダクト９は、ユーザーが選択した商品陳列棚８の下面側に配置されるものであり、庫内全域を保冷するコールド専用運転モードでショーケースを稼働する場合には、分岐ダクト９のダンパー９ｂを背後の冷気循環通路４から引っ込めるか、あるいは分岐ダクト９を庫内から取り外して保管しておくようして対応して対処している。
【０００９】
しかしながら、使わない分岐ダクト９をそのまま庫内に残しておくと、分岐ダクト９が邪魔になってその下段に並ぶ商品陳列棚８との間の陳列空間が制約を受けるため、商品を多量に陳列する場合には不利となる。かかる点、分岐ダクト９を庫内から取り外せば陳列スペースの確保問題が解消されるが、庫内から取り外した分岐ダクト９をショーケースと別な場所に保管しておく必要があってその管理が面倒である。
【００１０】
この発明は上記の点に鑑みなされたものであり、庫内の上部ゾーンに並ぶ商品陳列棚に陳列した商品を加温し、下部ゾーンの商品陳列棚に陳列した商品を保冷するホット・アンド・コールド運転モードでは、従来のショーケースと同様に分岐ダクトをユーザーが指定した商品陳列棚の下面側にセットして使用し、庫内全域を保冷するコールド専用運転モードでは、商品陳列棚の下面から取り外した分岐ダクトをショーケースと別な場合に保管することなく、ケース本体の天井部に差し替えて庫内天井からの冷気吹き出し用ダクトとして使用できるようにしたショーケースを提供することを目的とする。
【課題を解決するための手段】
【００１１】
上記目的を達成するために、この発明によれば、外箱と内箱との間に冷気循環通路を画成した前面開放形ケース本体の庫内に、上下段に並ぶ商品陳列棚、およびユーザーが選択した中段の商品陳列棚の下面側に配置してその背後の前記冷気循環通路から取り込んだ冷気を庫内下部の冷却ゾーンに向けて吹き出す着脱式の分岐ダクトを備えた冷気循環式のショーケースにおいて、前記冷気循環通路の上部通路を画成したケース本体の天井部に、庫内の商品陳列棚から取り外した前記分岐ダクトを格納するダクト収納部を備え、庫内全域を保冷する運転モードでは前記ダクト収納部にセットした分岐ダクトを通じて天井部から庫内に冷気を吹き出すようにし、庫内天井と冷気循環通路の上部通路との間を仕切る天井板の前部に分岐ダクトをケース前方から差し込むダクト挿入口を開口して、天井板のダクト挿入口に、分岐ダクトを外した状態でダクト挿入口を閉塞するシャッターを備える。
【発明の効果】
【００１２】
上記構成によれば、ショーケースの運転モードをホット・アンド・コールド運転から庫内全域を保冷するコールド専用運転に切り換える際には、庫内の商品陳列棚下面から取り外した分岐ダクトをケース本体の天井部に設けたダクト収納部へ差し替えるだけで、この分岐ダクトを通じて冷気を庫内全域に吹き出すことができる。
【００１３】
これにより、従来のように庫内側に残した分岐ダクトが邪魔になって商品陳列スペースを狭めることがなく、また庫内から取り外した分岐ダクトをショーケースと別な場合に保管する管理上の問題も解消できる。
【図面の簡単な説明】
【００１４】
【図１】この発明の実施例によるショーケースの運転状態を表す図で、（ａ），（ｂ）はそれぞれホット・アンド・コールド運転モード，コールド専用運転モードに対応した分岐ダクトの配置、および冷気の循環通風経路を表すショーケースの側視断面図である。
【図２】図１における分岐ダクトの構造図で、（ａ）は底面図、（ｂ）は側視断面図である。
【図３】庫内の天井板に開口したダクト挿入口，およびそのシャッターを表す図で、（ａ），（ｂ）はそれぞれシャッターの開放，閉塞状態を庫内側から見上げた図である。
【図４】図４の天井板に分岐ダクトを格納セットした状態を庫内側から見上げた図である。
【図５】図１（ａ）のホット・アンド・コールド運転モードから（ｂ）のコールド専用運転モードに切り換える際の分岐ダクト差し替え操作の手順説明図で、（ａ）は分岐ダクトを庫内の商品陳列棚から引き抜く操作状態，（ｂ）は分岐ダクトを天井部のダクト収納部に差込セットする操作状態を表す図である。
【図６】分岐ダクトのストッパ機構の構造図で、（ａ）は分岐ダクトの前端部分の斜視図、（ｂ）分岐ダクトを使用位置に係止固定した状態を表す側面図である。
【図７】分岐ダクトを庫内の商品陳列棚に装着したショーケースの従来構造図で、（ａ），（ｂ）はそれぞれ正面図，側視断面図である。
【発明を実施するための形態】
【００１５】
以下、この発明の実施の形態を図１〜図６に示す実施例に基づいて説明する。なお、実施例の図中で図７に対応する部材には同じ符号を付してその説明は省略する。
すなわち、図示実施例のショーケースでは、冷気循環通路４の上部通路を画成したケース本体１の天井部に庫内の商品陳列棚８から取り外した分岐ダクト９を格納するダクト収納部１２を備え、庫内全域を保冷するコールド専用運転モードでは分岐ダクト９を前記ダクト収納部１２に差込みセットした状態で、分岐ダクト９を通じて天井部側から庫内に冷気を吹き出すようにする。
【００１６】
そのために、ケース本体１の庫内天井側に布設した天井板３ａの前部には、図３で示すように分岐ダクト９の輪郭に合わせて該ダクトをケース本体の前方から差し込むダクト挿入口３ａ−１を開口し、さらにダクト収納部１２の内側にはダクト挿入口３ａ−１から差し込んだ分岐断熱を前傾姿勢に案内支持するガイドレール１２ａを備えている。さらに図示実施例では、天井板３ａにダクト収納部から分岐ダクト９を抜き出した状態でダクト挿入口３ａ−１を閉塞するシャッタ−１３を備えている。なお、図中に表した符号１４はケース本体１の天井部前端に設けたキャノピーである。
【００１７】
次に、実施例のショーケースに搭載した分岐ダクト９の詳細構造を図２（ａ），（ｂ）に示す。この分岐ダクト９は図７に示した従来構造と基本的に同様であり、ダクト本体の前端側にはハニカム構造の冷気吹出口９ａが下向きに開口し、後端側にはスライダ−９ｃの操作でダクト本体から出没する導風ダンパ−９ｂを備えている。
【００１８】
また、当該分岐ダクト９を使用位置（冷気の導風位置）に係止固定するストッパ手段として、ダクト本体の前後方向に沿ってその左右側縁に形成したフランジ部の前端には板ばね材にＶ字状の凸部に屈曲形成した係止片９ｄを設け（図２（ｂ），図６（ａ）参照）、この係止片９ｄに対向して商品陳列棚８の棚ブラケット８ａ（図１参照）の前端部には図６（ｂ）で示すように係止片９ｄが嵌合する係合溝８ａ−１を切欠き形成している。なお、ダクト収納部１２に設けたガイドレール１２ａについても、棚ブラケット８ａの係合溝８ａ−１と同様な係合溝を形成して分岐ダクト９を定位置に保持するようにしている。
【００１９】
上記の構成で、ショーケースをホット・アンド・コールド運転モードで運転する場合には、従来のショーケース（図７参照）と同様に分岐ダクト９をユーザーが指定した商品陳列棚８の下面側に差込セットしてその棚ブラケット８ａに支持し、この位置で導風ダンパー９ｂを背後に引き出して冷気循環通路４に突き出す（図１（ａ）参照）。これにより、図中の点線矢印で表すように冷気循環通路４の途中から冷気を分岐ダクト９に導風してその前端の冷気吹出口９ａから下方に冷気を吹き出し、庫内下部ゾーンの前面に冷気エアカーテンを形成してここに陳列した商品を保冷する。
【００２０】
一方、ショーケースの庫内全域を保冷するコールド専用運転モードで運転する場合には、今までホット商品を陳列していた商品陳列棚８のヒータを非通電とした上で、図５（ａ）で示すように分岐ダクト９を庫内の商品陳列棚８から抜き出す。次に、図５（ｂ）で示すように天井板３ａのシャッター１３を開き、前方から分岐ダクト９をダクト挿入口３ａ−１に差し込んでダクト収納部１２に差し替えて図１（ｂ）の状態にセットする。なお、このセット状態では、分岐ダクト９の冷気吹出口９ａが天井板３ａの前端から下方に突き出している。
【００２１】
これにより、冷気循環通路４を通風する冷気は図示の点線矢印のように分岐ダクト９を通じてその先端の冷気吹出口９ａから下方に吹き出して庫内の前面に冷気エアカーテンを形成し、庫内の各段の商品陳列棚８に並べた商品を保冷する。
【００２２】
また、ショーケースをホット・アンド・コールド運転に戻す場合には、前記手順と逆に分岐ダクト９を天井部のダクト収納部１２から抜き出して指定した商品陳列棚８の下面に差し替える。なお、図示実施例では天井板３ａにシャッター１３を備えてダクト挿入口３ａ−１を閉塞するようにしているが、機能的にはこのシャッターを省略してもよい。
【符号の説明】
【００２３】
１：ケース本体
２：外箱
３：内箱
３ａ：天井板
３ａ−１：ダクト挿入口
４：冷気循環通路
８：商品陳列棚
８ａ：棚ブラケット
９：分岐ダクト
９ａ：冷気吹出口
９ｂ：導風ダンパー
１２：ダクト収納部
１３：シャッター
【図１】
0005493672.tif 000002
【図２】
0005493672.tif 000003
【図３】
0005493672.tif 000004
【図４】
0005493672.tif 000005
【図５】
0005493672.tif 000006
【図６】
0005493672.tif 000007
【図７】
0005493672.tif 000008